(57)【要約】【課題】従来のネクタイはシャツの襟下に挿入し首廻りに巻締めしなければならない点と、ネクタイの長さ間の振れを防ぐ為にネクタイピンを取り付けなければならないという面倒で不便な２つの大きな問題点があった。【解決手段】一定の縦長さの着用時形状に成形されたネクタイ１０ａの上部には一定の横間隔で一対の吸着体となる磁石１１ａが設けられ、シャツ２０の襟元の襟２１下の一定の横間隔位置の襟首２２内には、前記ネクタイ１０ａの一対の磁石１１ａが吸着する磁石１２ａ又は磁力を通す金属からなる吸着受け１３が一対設けられ、ネクタイ１０ａをシャツ２０に一定の強さの磁力による吸着力で取り付けている。そして、ネクタイ上端より下方の任意の高さ位置には、ネクタイ１０ａとシャツ２０にそれぞれ磁石１１ｂ、１２ｂを取り付け吸着接続している。【選択図】    図１
2009041163.tif 000002
【特許請求の範囲】
【請求項１】
衣服の内、シャツとそれに取り付けるネクタイにおいて、一定の縦長さに成形されたネクタイで、そのネクタイ上部とシャツの襟元部にそれぞれ吸着体となる磁石を設け、シャツにネクタイを吸着取り付けする構成にしたことを特徴とするネクタイとシャツの吸着取り付け構造。（図1、図２、図９、図１０、図１１参照）
【請求項２】
シャツの第一ボタンと第二ボタン取り付け部間と逆三角形形状に成形されたネクタイ上部で、その三角形状部にそれぞれ磁石を設けたことを特徴とする請求項１記載のネクタイとシャツの吸着取り付け構造。（図９、図１０、図１１参照）
【請求項３】
シャツの襟元の第一ボタン取り付け部を挟んで左右の一定の横間隔位置の襟首と、ネクタイ上部の一定の横間隔位置にそれぞれ磁石を設けたことを特徴とする請求項１記載のネクタイとシャツの吸着取り付け構造。（図１、図2参照）
【請求項４】
前記シャツの襟元に設ける吸着体は、磁力を通す金属から成ったことを特徴とする請求項１又は３記載のネクタイとシャツの吸着取り付け構造。（図１、図２参照）
【請求項５】
ネクタイ上部に少なくとも一定の縦長さを持つフレ−ムを設け、そのフレ−ム裏側に磁石を取り付けたことを特徴とする請求項1又は２記載のネクタイとシャツの吸着取り付け構造。（図９、図１０参照）
【請求項６】
ネクタイ上部に設けられるフレ−ムは、一定の横幅を有する横フレ−ムと一定の縦長さを有する縦フレ−ムからなる構成のＴ字形状で、その前記横フレ−ムの両端部に磁石を取り付けたことを特徴とする請求項１又は３記載のネクタイとシャツの吸着取り付け構造。（図４、図５参照）
【請求項７】
フレ−ムの裏側にくぼみ形状からなる磁石取り付け座を備え、この座に磁石を取り付けたことを特徴とする請求項５又は６記載のネクタイとシャツの吸着取り付け構造。（図４、図５、図９、図１０参照）
【請求項８】
シャツとそのシャツに取り付けられたネクタイの縦長さの略中間高さあたりには、そのシャツとネクタイを吸着接続する吸着体となる磁石が前記シャツとネクタイに設けられたことを特徴とする請求項１乃至７のいずれか１項に記載のネクタイとシャツの吸着取り付け構造。（図１、図３参照）
【発明の詳細な説明】
【技術分野】
【０００１】
本発明は、取り付け取り外しが容易なネクタイ並びにそのネクタイを取り付けるシャツ構造に関するものである。
【背景技術】
【０００２】
Ｙシャツなどの衣服に着用するネクタイはシャツなどの襟下の首廻りに巻き、そのネクタイを襟元で巻き結びして首廻りを締付ける様に取り付けている。
【０００３】
ネクタイ取り付け時の長さの調整はネクタイ結び前に大体の勘による予測で行ない、結び部の形状は結び方で常に一定した形状を形成するむつかしさがある。
【０００４】
ネクタイを一定の長さと結び部の形状に成形し、その結び部に一定の長さの首に巻く紐が設けられたものがある。
【０００５】
また、前記紐に替えてマジックテ−プ（登録商標）をシャツの襟下とネクタイ上端に設けて接着取り付けしている。
【０００６】
また、ネクタイ上部に固着してフックが設けられ襟首上端に掛け止めする構成にしている。
【０００７】
また、ネクタイの吊り下げ長さ部の振れを抑える為ネクタイピンでシャツに留めていた。
【０００８】
【特許文献１】実全昭５８−０９２３２２
【特許文献２】特開昭５３−０１４０５５
【発明の開示】
【発明が解決しようとする課題】
【０００９】
以上に述べた従来のネクタイでは、襟下首廻りに巻きつける不便さと強く締付けなければ、結び部の型崩れとネクタイのずれ下がりが起き易いものであった。そして、ネクタイの長さと結び部の形状を見栄えのする一定の形状にするのが困難であり、更に強い結び部にすることによりネクタイに皺が付き易くネクタイを傷める問題があった。
【００１０】
また、ネクタイに紐が設けられたものにあっては、紐部を襟下に挿入及び取り出すときに一定の面倒しさが伴うものであった。特にボタンダウンの襟構造では非常に面倒であった。
【００１１】
また、ネクタイ上端に固着してフックが設けられたものにあっては、シャツにフックがけをする場合襟首上端に掛け止めしたネクタイ上部を図６で示す様に襟下に挿入するのが困難であり蝶ネクタイ以外の縦長のネクタイには不向きと思われる。
【００１２】
また、ネクタイとシャツにマジックテ−プ（登録商標）を設けて接着取り付けするものにあっては、接着面のスライドが不可能であるとともに、取り外し時においては接着面の面直角方向に引っ張らないと外れにくい問題があり、ネクタイ位置の調整と襟下から外すのに一定の困難が伴うものである。
【００１３】
また、ネクタイの長さ間の振れを抑える為にネクタイピンを必要とし、それをセットする一定の面倒しさが伴うものであった。
【００１４】
本発明は、このような従来のネクタイの取り付け取り外しが有していた問題を解決しようとするものであり、ネクタイの長さと上部結び部の形状を常に一定の最良の状態に保ち、短時間でネクタイの着脱を実現することを目的とするものである。
【課題を解決するための手段】
【００１５】
前記目的を達成するために、本発明のネクタイ及びそのネクタイを取り付けるシャツの内、ネクタイ構造においては、図１、図２で示すように一定の逆三角形状のデザインに成形されたネクタイ上部の横両端には、一対の吸着体となる防水の磁石がネクタイ内部に取り付けられている。そして、前記ネクタイが吸着して取り付けられるシャツの襟下の襟首内には、図６、図７で示す様に第一ボタンを挟んで前記ネクタイの吸着体の横間隔と略同一の横間隔で一対の磁石または磁力を通す金属からなる吸着受けが取り付けられ、シャツにネクタイを磁石の一定の強さの吸着力を用いて取り付ける構成としたものである。
【００１６】
前記逆三角形状のネクタイ上部内には、図４、図５で示す様に一定の縦幅とネクタイ横幅よりやや小さい横幅の横フレ−ムと、細幅で一定の縦長さの縦フレ−ムからなるＴ字状のフレ−ムが設けられ、前記横フレ−ムの横両端には磁石を取り付けるくぼみ形状からなる座が具備され、その座に磁石を固着して取り付け磁石を一定位置に保持する構成となっている。そして、縦フレ−ムの一部はネクタイ上部の逆三角形を形成する首部に強い介接状態で納置保持されている。
【００１７】
そして、図１、図３で示す様にネクタイ長さの中間あたりには、シャツにネクタイを吸着接続する磁石がネクタイとシャツに納置状態に設けられている。
【００１８】
また、図９、図１０、図１１で示す様にシャツ襟元部とネクタイ上部の吸着部の変形例では、シャツの第一ボタンと第二ボタン間襟首直近下方の高さ位置で、その高さ位置部のシャツとネクタイに吸着体となる磁石をそれぞれ設け、前記ネクタイにおいてはネクタイ内に設けられている横フレ−ムと縦フレ−ムからなるＴ字状のフレ−ムの内、縦フレ−ム裏側にくぼみ形状からなる座が備えられ、その座に固着して前記磁石を取り付けたシャツとネクタイの吸着構造にしている。
【発明の効果】
【００１９】
本発明のネクタイとシャツ構造では、一定の強い吸着力を持った吸着体となる磁石または磁力を通す金属からなる吸着受けを最良の位置に設けると、その最良の位置に常に安定したネクタイの簡単取り付けと取り外しが瞬時に行える便利さが得られる。したがってネクタイの必要度におおじて頻繁にネクタイの着脱がやりやすく夏季などでは特に重宝なものとなる。そして、シャツとネクタイの吸着体を共に磁石にした場合より大きな吸着力が得られることとなる。
【００２０】
また、ネクタイ上部に吸着体となる磁石を取り付けるＴ字状のフレ−ムを設け、そのフレ−ムをネクタイ上部の逆三角形を形成する首部の強い締付けでしっかり固定保持すると、ネクタイの吸着体位置が一定となりシャツに取り付ける吸着力を一定の強い吸着力で安定させることができる。そして、ネクタイ着脱時及びネクタイ取り付け位置調整時にネクタイ上部にかかる不規則な力によるネクタイ上部の型崩れを防止する大きな効果をもたらすものである。
【００２１】
また、ネクタイの吸着体の横間隔が一定に保たれると、シャツの襟元の第一ボタン部を挟んで設けられた吸着体の横間隔も強い吸着によるネクタイ取付けで共に一定の横間隔に保たれることとなる。よって、最もボタン止めが困難な第一ボタン止めをしなくても襟元の開きを抑えることが可能となり、ネクタイ着用時又はネクタイ取り外し時ごとに第一ボタンの着脱の操作が不要となる今までの概念にない大きな利点が生ずるものである。
【００２２】
また、ネクタイの縦長さ中間部近くの高さにネクタイとシャツの吸着接続部を設けると、ネクタイ取り付けと同時にネクタイがシャツにほぼ自動的に吸着保持され最も簡単にネクタイの振れを防止する効果を得るものである。
【発明を実施するための最良の形態】
【００２３】
以下、本発明の実施の形態を図1〜図１1に基ずいて説明する。
【００２４】
図１、図２においては、シャツ２０の襟元の左右の襟２１下の襟首２２内に、吸着体となる磁石１２ａ又は磁力を通す金属からなる吸着受け１３を一定の横幅間隔で一対設け、一定の長さと上部が逆三角形状に成形され、その三角形状部の左右の一定の横幅間隔位置に吸着体となる磁石１２ａを一対設け、前記襟首２２に設けられた磁石１２ａ又は吸着受け１３にネクタイ１０ａを一定の吸着力の強さで吸着接続して取り付けている。
【００２５】
図1、図３で示すネクタイ縦長さの中間高さ近くの位置には、ネクタイ１０ａとシャツ２０にそれぞれ磁石１１ｂ、１２ｂを設けその磁石取り付け部を吸着接続している。
【００２６】
図４、図５においては、ネクタイ１０ａ上部内側に横フレ−ム15ａと縦フレ−ム16ａからなるＴ字状のフレ−ム１４ａを設け、そのフレ−ムの縦フレ−ム１６ａをネクタイの上部逆三角形状を形成する首部１９内に通し、その首部の締りの強さでネクタイ内にフレ−ム１４ａを安定した取付けで保持し、横フレ−ム１５ａの横両端裏側に磁石１１ａを取り付けるくぼみ形状からなる座１７ａを設け、その座に吸着面をネクタイ裏側に向けて磁石１１aを取り付けている。
【００２７】
図６、図７においては、シャツの第一ボタン２３ａの掛け止めを省略した場合のネクタイ１０ａのシャツ２０えの取付け方の実施例を示し、襟２１下に挿入したネクタイの左右の吸着部の内、一方を吸着止めした後一定の強い吸着力を利用してもう一方の横方向に襟首２２を引き寄せながらもう一方を吸着止めする取り付け例を示している。
【００２８】
図８では、図４で示すネクタイ上部の形状と磁石の位置を安定させるフレ−ム１４ａを設けているが、そのフレ−ムを設けなかった場合のネクタイ１０ａに設けられた一対の磁石１１ａの横間隔１８ａの変形例を示し、ネクタイ１０ａ上部に不規則な力が働いた場合ネクタイが変形しやすいものとなり、その変形により横間隔１８ｂが狭くなり安定した磁石の横間隔が得られにくい例を示している。
【００２９】
図９、図１０、図１１においては、図１の変形例を示し、図１１のシャツ２０の第一ボタン２３ａと第二ボタン２３ｂ間の襟首２２直近下方の高さ位置には吸着体となる磁石１２ｃが設けられ、図９、図１０で示すネクタイ１０ｂに設けられている吸着体となる磁石１１ｃが前記シャツの磁石１２ｃに吸着してシャツ２０にネクタイ１０ｂが取り付けられたいる。そして、前記ネクタイ１０ｂに設けられている磁石１１ｃは、ネクタイ内に設けられている横フレ−ム１５ｂと縦フレ−ム１６ｂからなるＴ字状のフレ−ム１４ｂの内、縦フレ−ム１６ｂの裏側にくぼみ形状の座１７ｂが備えられ、その座１７ｂに磁石１１ｃを取り付けている。
【産業上の利用可能性】
【００３０】
首廻りに巻き付けない為、ポロシャツなどの襟が立ってないものであっても取り付けることが可能となり、用途の拡大を図ることができる。
【図面の簡単な説明】
【００３１】
【図１】本発明の実施例を示す正面図である。
【図２】図１のＸ1−Ｘ１線による矢視図である。
【図３】図1のＸ2−Ｘ2線による矢視図である。
【図４】本発明のネクタイ上部の拡大正面図である。
【図５】図４のＸ３―Ｘ３線による矢視図である。
【図６】本発明の使用例を示す正面図である。
【図７】図６のＸ４−Ｘ４線の使用例を示す矢視図である。
【図８】本発明のネクタイ上部形状の変形例の平面図である。
【図９】本発明の変形の実施例を示す一部正面図である。
【図１０】図９のＸ５−Ｘ５線による拡大矢視図である。
【図１１】本発明の変形の実施例を示すシャツ上部の正面図である。符号の説明
【００３２】
１０ａ：ネクタイ
１０ｂ：ネクタイ
１１ａ：磁石
１１ｂ：磁石
１１ｃ：磁石
１２ａ：磁石
１２ｂ：磁石
１２ｃ：磁石
１３  ：吸着受け
１４ａ：フレ−ム
１４ｂ：フレ−ム
１５ａ：横フレ−ム
１５ｂ：横フレ−ム
１６ａ：縦フレ−ム
１６ｂ：縦フレ−ム
１７ａ：座
１７ｂ：座
１８ａ：横間隔
１８ｂ：横間隔
１９  ：首部
２０  ：シャツ
２１  ：襟
２２  ：襟首
２３ａ：第一ボタン
２３ｂ：第二ボタン
【図１】
2009041163.tif 000003
【図２】
2009041163.tif 000004
【図３】
2009041163.tif 000005
【図４】
2009041163.tif 000006
【図５】
2009041163.tif 000007
【図６】
2009041163.tif 000008
【図７】
2009041163.tif 000009
【図８】
2009041163.tif 000010
【図９】
2009041163.tif 000011
【図１０】
2009041163.tif 000012
【図１１】
2009041163.tif 000013